(57)【特許請求の範囲】
【請求項１】
鍋等を支持する為の爪片(1)の外側端部(11)及び内側が脚部(2)の外側及び内側に突出し、一対の脚部の間には前記爪片(1)との間に空間がある五徳(20)を箱体(3)内に収容した梱包構造において、
平面視に於ける五徳(20)の外周輪郭形状の下面を被覆する大きさに設定された略矩形の板状部(40)の両端に折り片(41)が延長形成されると共に前記折り片(41)が折り込まれた状態で全体が前記箱体(3)に挿入される保護パッド(4)を設け、
前記折り片(41)の先端側の一定範囲には、前記脚部(2)の外側に位置して前記外側端部(11)の下方に挿入される一対の外フラップ(42)(42)または前記脚部(2)(2)間に位置して前記爪片(1)の下方に挿入される内フラップ(43)の何れか一方を設け、
前記折り片(41)の基端部によって前記五徳(20)の端部を包囲するようにした五徳の梱包構造。
【請求項２】
前記五徳（２０）は、全体として扁平な矩形状に構成されると共に、長手方向に沿って並設された相互に平行な複数の爪片（１）（１）と、前記爪片（１）（１）に対して直角方向に延びるように前記爪片（１）  の下方に連結される脚部（２）（２）とを具備し、両端に位置する前記爪片（１）  及び前記脚部（２）（２）の端部を前記折り片（４１）の基端部によって包囲するように上下に折り曲げ、このように折り曲げた前記折り片（４１）の基端部が箱体（３）  内に密に収容される請求項１に記載の五徳の梱包構造。
【請求項３】
折り片（４１）の先端部に前記外フラップ（４２）及び内フラップ（４３）を共に具備させ、外フラップ（４２）と内フラップ（４３）との間に前記脚部（２）  が密に挿入される切欠部を設けた請求項１又は２に記載の五徳の梱包構造。
【発明の詳細な説明】
【０００１】
【発明の属する技術分野】
この発明は五徳の梱包構造、特に、外側に突出する爪を備える五徳の梱包構造に関するものである。
【０００２】
【従来の技術】
ガス器具等において、鍋等を支持する為に取付けられる五徳は、煮こぼれなどが付着し易い。そこで、腐食によって損傷した場合等では、新しい五徳が交換部品として供給される。このような場合には、前記五徳は、段ボール紙製の箱に収容されて、単体で輸送されることが多い。前記五徳は、ガス器具に於いて取り外し自在に設けられているから、簡単に交換できるからである。
【０００３】
ところが、従来の前記五徳の梱包構造では前記輸送中に前記段ボール紙が損傷し易い。通常、この種五徳には、鍋等を支持する為の爪片が設けられ、爪片の外側の端部が前記爪片の脚部から外側に突出していることが多く、前記段ボール紙製の箱体に収容されただけの梱包では、前記箱体内にて前記五徳が移動し、前記爪片の外側端部によって前記段ボール紙が破れることとなるからである。
【０００４】
【発明が解決しようとする課題】
本発明は、かかる点に鑑みてなされたものであり、
『鍋等を支持する為の爪片(1)の外側端部(11)及び内側が脚部(2)の外側及び内側に突出し、一対の脚部の間には前記爪片(1)との間に空間がある五徳(20)を箱体(3)内に収容した梱包構造』において、輸送途中に前記五徳が移動をくり返しても前記外側端部(11)等による前記箱体(3)の損傷を防止できるようにすることをその課題とする。
【０００５】
【課題を解決するための手段】
上記課題を解決するために講じた請求項１に係る発明の技術的手段は、『平面視に於ける五徳(20)の外周輪郭形状の下面を被覆する大きさに設定された略矩形の板状部(40)の両端に折り片(41)が延長形成されると共に前記折り片(41)が折り込まれた状態で全体が前記箱体(3)に挿入される保護パッド(4)を設け、
前記折り片(41)の先端側の一定範囲には、前記脚部(2)の外側に位置して前記外側端部(11)の下方に挿入される一対の外フラップ(42)(42)または前記脚部(2)(2)間に位置して前記爪片(1)の下方に挿入される内フラップ(43)の何れか一方を設け、
前記折り片(41)の基端部によって前記五徳(20)の端部を包囲するようにした』ことである。
【０００６】
この技術的手段によれば、外側端部(11)を具備する爪片(1)(1)を具備する五徳(20)は、平面視に於ける該五徳(20)の外周輪郭形状の下面を被覆する大きさに設定された略矩形の板状部(40)を備えた保護パッド(4)によって被覆されて箱体(3)内に収容される。
この状態では、前記保護パッド(4)の板状部(40)は箱体(3)の内壁に対して挿抜可能となる程度の嵌合余裕を有する態様で収容されている。しかも、前記折り片(41)の基端部は五徳(20)の端部を上下方向に包囲する態様に折り曲げられている。これにより、五徳(20)の爪片(1)の外側端部(11)(11)は箱体(3)の内壁と接触しない状態に収容される。仮に、前記板状部(40)が箱体(3)内で僅かに移動するとしても、前記爪片(1)の脚部(2)と外フラップ(42)又は内フラップ(43)とが係合し五徳(20)が前記外側端部(11)の突出方向に移動するのを阻止する。
【０００７】
従って、上記技術的手段によれば、箱体(3)内に前記保護パッド(4)と共に収容された状態では、前記五徳(20)が移動しにくい状態に維持され、仮に、前記保護パッド(4)が移動したとしてもこの保護パッド(4)によって五徳(20)の端部が箱体(3)の内壁に接触しない状態に保たれる。
なお、前記保護パッド(4)としては、通常は段ボール紙を打抜いて前記外フラップ(42)又は内フラップ(43)を有する形状に形成される。前記外フラップ(42)と内フラップ(43)を共に備えるものの場合には、外フラップ(42)と内フラップ(43)との間に脚部(2)を挿入できる切欠部が形成されるものとなる。
【０００８】
請求項２に係る発明の技術的手段は『前記五徳（２０）は、全体として扁平な矩形状に構成されると共に、長手方向に沿って並設された相互に平行な複数の爪片（１）（１）と、前記爪片（１）（１）に対して直角方向に延びるように前記爪片（１）  の下方に連結される脚部（２）（２）とを具備し、両端に位置する前記爪片（１）  及び前記脚部（２）（２）の端部を前記折り片（４１）の基端部によって包囲するように上下に折り曲げ、このように折り曲げた前記折り片（４１）の基端部が箱体（３）  内に密に収容される』ことである。
【０００９】
このものでは、両端に位置する爪片（１）（１）が折り片（４１）の基端部によって被覆され、この部分では前記爪片（１）  と箱体（３）  の内面との間には折り片（４１）が介在されると共に、前記部分が箱体（３）  内に密に収容される。そして、他の爪片（１）（１）と箱体（３）  の内面との間には前記折り片（４１）の厚さに相当する間隙が生じる。従って、爪片（１）（１）の上面が箱体（３）  の内面に直接接触することがないと共に保護パッド（４）  によって包囲された五徳（２０）の端部が、箱体（３）  内の両端部に確実に固定される。
【００１０】
請求項３にかかる発明の技術的手段は『折り片（４１）の先端部に前記外フラップ（４２）及び内フラップ（４３）を共に具備させ、外フラップ（４２）と内フラップ（４３）との間に前記脚部（２）  が密に挿入される切欠部を設けた』ことであり、このものでは、折り片（４１）の端部による五徳（２０）の保持強度、特に、保護パッド（４）  の幅方向への移動阻止力が大きくなる。
【００１１】
【発明の効果】
この発明は次の特有の効果を有する。
請求項１にかかる発明によれば、五徳（２０）の爪片（１）  の両端の外側端部（１１）及び五徳（２０）の端部が輸送時に箱体（３）  の内壁に衝突することによる箱体（３）  の損傷が防止できる。
【００１２】
請求項２に係る発明によれば、五徳（２０）の両端部の爪片（１）（１）及び脚部（２）（２）の端部が包囲され、しかも、このように包囲された部分が箱体（３）  内でしっかりと固定されるから、五徳（２０）の全体が一層確実に固定され、前記効果が一層向上する。
請求項３に係る発明によれば、折り片（４１）と脚部（２）  との係合による保護パッド（４）  による五徳（２０）の固定が確実であるから、前記五徳（２０）が箱体（３）  内にて一層強固に固定される。
【００１３】
【発明の実施の形態】
図１〜図４に示す実施の形態は、五徳（２０）を、全体として略矩形に形成されたものであり、一定の長さの爪片（１）（１）が前記矩形の長辺に沿って平行に並設された一対の脚部（２）（２）の上端に連設され、各爪片（１）（１）が前記脚部（２）  に対して直角で且相互に平行となる姿勢になっている。前記脚部（２）  は金属製の帯状板をその幅方向が直立する姿勢に設けられ、この帯状板の上辺に、同様に帯状板によって形成された爪片（１）  の下端縁が直溶接されて一体化されている。そして、前記脚部（２）（２）の外側には前記爪片（１）  の外側端部（１１）（１１）が突出し、最も外側の爪片（１）（１）の外側に前記脚部（２）（２）の両端部が突出している。また、前記脚部（２）（２）の間には前記爪片（１）  の下辺の間に空間がある。
【００１４】
箱体(3)は、段ボール紙からなる扁平な矩形の箱体で、図１に示すように、短辺側のフラップ部が開放された状態に仕上げられている。
上記構成の五徳(20)が後述の保護パッド(4)によって包囲された態様で前記箱体(3)の中に挿入される。
前記保護パッド(4)は、段ボール紙製の帯状板からなり、中央の板状部(40)の両側に折り片(41)(41)が連設されている。前記帯状板の横幅は、前記五徳(20)の横幅よりも僅かに大きく設定されている。なお、この例では、前記五徳(20)の横幅は前記爪片(1)の長さに相当する。
又、図３に示すように、板状部(40)の長さは脚部(2)の長より大きく設定されている。これにより、前記板状部(40)は、平面視に於ける五徳(20)の外周輪郭形状の下面を被覆する大きさの略矩形に形成されている。
【００１５】
前記折り片(41)は、その基端側に形成される直立板部(411)と、最も外側の一つの爪片(1)までの上面を被覆する水平板部(412)と、その先端側に連設される外フラップ(42)(42)及び内フラップ(43)とからなる。前記外フラップ(42)と内フラップ(43)の長さは、外側から２番目の爪片(1)の下方に挿入される長さに設定されており、この例では、前記外フラップ(42)と内フラップ(43)との間には、前記脚部(2)が丁度挿入される横幅の切欠部(44)(44)が形成されている。
【００１６】
この保護パッド（４）  によって、図１に示すように、前記五徳（２０）の下面及び両端部を被覆するように折り曲げる。これにより、最も外側の爪片（１）  の上面が折り片（４１）によって被覆され、直立板部（４１１）  は脚部（２）  の下辺から爪片（１）  の上辺とまでの高さで直立している。そして、内フラップ（４３）が爪片（１）  の下方で脚部（２）（２）間に挿入され、外フラップ（４２）（４２）が爪片（１）  の脚部（２）  の外側で外側端部（１１）（１１）の下方に挿入される。
【００１７】
これにより、外フラップ（４２）と内フラップ（４３）が脚部（２）  と係合することから保護パッド（４）  に対して五徳（２０）の前記保護パッド（４）  の幅方向への移動が阻止される。前記係合は、両側の外フラップ（４２）（４２）のみを具備する場合、又は、前記内フラップ（４３）のみを具備する場合の何れにおいても、確保できることとなるが、この実施の形態のように、外フラップ（４２）（４２）及び内フラップ（４３）が共に脚部（２）  に係合される構成では、前記移動を阻止する係合力が大きいものとなる。
【００１８】
上記のように保護パッド（４）  によって被覆した五徳（２０）を図１に示すように一方開放の箱体（３）  内に挿入して、図２に示すように短辺側の端面フラップを粘着テープ（Ｔ）  で接合すると、図３及び図４に示すように五徳（２０）が梱包される。
この梱包状態では、五徳（２０）の両端部を包む折り片（４１）の部分が箱体（３）  の両端部内に密に嵌入保持され、脚部（２）（２）の両端部が前記折り片（４１）によって包囲される。また、保護パッド（４）  の幅寸法は、爪片（１）  の長さよりも僅かに長く設定されているから、図４のように、外側端部（１１）（１１）が箱体（３）  の長辺側壁内面に接触することがなく、前記保護パッド（４）  が移動しない態様で箱体（３）  内に収容されているから、前記脚部（２）  が前記状態から移動する不都合もない。  保護パッド（４）  によって五徳（２０）の両端部を被覆する構成としては、図５に示すようにしてもよい。この例では、上記実施の形態の水平板部（４１２）  の部分がなく、直立板部（４１１）  の上端から直接外フラップ（４２）及び内フラップ（４３）を延長形成したものであり、この例でも、外フラップ（４２）と内フラップ（４３）との間に前記切欠部（４４）が形成されている。
【００１９】
なお、前記直立板部（４１１）  の高さは、脚部（２）  の下辺から爪片（１）  の上辺までの高さに一致するか又は前記高さよりも僅かに高くしてある。
この場合も保護パッド（４）  によって箱体（３）  内に於ける五徳（２０）の移動が防止できることとなる。なお、直立板部（４１１）  の下部に形成した半円形の透孔（４５）は被梱包物を前記保護パッド（４）  と共に取り出すためである。
【００２０】
上記実施の形態は、多数の爪片（１）（１）とこれらに直交する一対の脚部（２）（２）とからなる五徳（２０）の梱包に本発明を実施しているが、この発明は、図６、図７に示すような五徳（２０）にも実施できる。この五徳（２０）では、正方形状の枠体（２３）の上面に４つの爪片（１）（１）を直立させたものであり、前記爪片（１）  の一部が脚部（２）  となっており、この脚部（２）  の下端が前記枠体（２３）にカシメ又は溶接によって取付けられている。
【００２１】
このような五徳（２０）の場合にも前記爪片（１）  における前記脚部（２）  の外側に外側端部（１１）があり、一対の脚部（２）（２）間に内フラップ（４３）を挿入するか又は外フラップ（４２）を前記脚部（２）  の外側で前記外側端部（１１）の下方に挿入して、折り片（４１）により前記枠体（２３）の対向辺部を包囲できることとなる。
前記枠体（２３）が円形の五徳（２０）にも本発明を実施できることは言うまでもない。
【図面の簡単な説明】
【図１】本発明の実施の形態の分解斜視図
【図２】梱包済の外観の斜視図
【図３】梱包状態の縦断面図
【図４】梱包状態の横断断面図（ｘ−ｘ断面図）
【図５】他の実施の形態の分解斜視図
【図６】本発明の梱包構造を実施する他の形式の五徳（２）  の平面図
【図７】本発明の梱包構造を実施する他の形式の五徳（２）  の側面図
【符号の説明】
（１）  ：爪片  （１１）：外側端部    （２）  ：脚部  （４）  ：保護パッド        （２０）：五徳  （４２）：外フラップ  （３）  ：箱体  （４３）：内フラップ        （４０）：板状部
【図１】
0003550264.tif 000002
【図２】
0003550264.tif 000003
【図３】
0003550264.tif 000004
【図４】
0003550264.tif 000005
【図５】
0003550264.tif 000006
【図６】
0003550264.tif 000007
【図７】
0003550264.tif 000008